(57)【特許請求の範囲】
【請求項１】
主配管（１）と、該主配管の一端の液流の入口（１０１）と、該主配管の他端に洗浄槽の給水口接続の出口（１０２）とを備え、
弁Ａ（２）と、弁Ｂ（３）と、弁Ｃ（４）と、弁Ｄ（５）と、流体容器（６）とベンチュリ負圧発生器（８）とを設け、
該弁Ａの入口は該主配管の側口と連接し、該弁Ｂの入口は洗浄剤Ａの液貯蔵箱と通連し、該弁Ａと該弁Ｂの出口は該弁Ｃの入口と通連し、該弁Ｄの入口は洗浄剤Ｂの液貯蔵箱と通連し、該弁Ｃと該弁Ｄの出口は該流体容器の入口（６０１）と通連し、
該流体容器出口（６０２）が回流路（７）を経て該ベンチュリ負圧発生器の負圧口（８０４）と通連し、該ベンチュリ負圧発生器の出口（８０２）が該主配管の入口と通連し、
該ベンチュリ負圧発生器の入口（８０１）が原水と連接する入口を設けたことを特徴とする洗浄剤投入制御器。
【請求項２】
該回流路には流量センサ（１０）を連接したことを特徴とする請求項１記載の洗浄剤投入制御器。
【請求項３】
上述の該弁Ａと、該弁Ｂと、該弁Ｃと、該弁Ｄと、該流体容器と回流路とで集成された集成弁を有し、該集成弁が電磁弁組１と電磁弁組２から構成され；
該電磁弁組１は、電磁巻線１（１３）と、該電磁巻線１内のガイド内側に設置したアマチュア１（１２）と、アマチュア１の一端に設けたアマチュアシート１（１１）で構成され；
該電磁弁組２は、電磁巻線２（１６）と、該電磁巻線２内のガイド内側に設置したアマチュア２（１５）と、アマチュア２の一端に設けたアマチュアシート２（１４）で構成され；
該弁Ａと該弁Ｂが該電磁弁組１に対応し、該弁Ａの出口と該弁Ｂの出口が該集成弁の空間１（１７）の内部に設けられ、同じ軸線で一定距離に対向し設置されており、該電磁弁組１の該アマチュアシート１が該弁Ａの出口と該弁Ｂの出口との該一定距離内にあり、しかも通常状態では該アマチュアシート１が該弁Ｂの出口を閉、該弁Ａの出口を開とし；
該弁Ｃと該弁Ｄが該電磁弁組２に対応し、該弁Ｃの出口と該弁Ｄの出口が該集成弁の空間２（１８）の内部に設けられ、同じ軸線で一定距離に対向し設置されており、該電磁弁組２の該アマチュアシート２が該弁Ｃの出口と該弁Ｄの出口との該一定距離内にあり、しかも通常状態では該アマチュアシート２が該弁Ｄの出口を閉、該弁Ｃの出口を開とし；
該空間２が該流体容器の入口（６０１）と貫通されることを特徴とする請求項１或いは請求項２記載の洗浄剤投入制御器。
【請求項４】
主配管（１）と、該主配管の一端の液流の入口（１０１）と、該主配管の他端に洗浄槽の給水口接続の出口（１０２）とを備え、
弁Ａ（２）と、弁Ｂ（３）と、弁Ｃ（４）と、弁Ｄ（５）と、弁Ｅ（２０）と、弁Ｆ（２１）と、流体容器（６）とベンチュリ負圧発生器（８）とを設け、
該弁Ａの入口が該主配管の側口と連接し、該弁Ｂの入口が洗浄剤Ａの液貯蔵箱と通連し、該弁Ａと該弁Ｂの出口が該弁Ｃの入口と通連し、該弁Ｄの入口が洗浄剤Ｂの液貯蔵箱と通連し、該弁Ｃと該弁Ｄの出口が該弁Ｅの入口と通連し、該弁Ｆの入口が洗浄剤Ｃの液貯蔵箱と通連し、該弁Ｅと該弁Ｆの出口が該流体容器の入口（６０１）と通連し、該流体容器の出口（６０２）が回流路（７）を経て該ベンチュリ負圧発生器の負圧口（８０４）と通連し、該ベンチュリ負圧発生器の出口（８０２）が該主配管の入口と通連し、該ベンチュリ負圧発生器の入口（８０１）が原水と連接する入口を設けたことを特徴とする洗浄剤投入制御器。
【請求項５】
該回流路には流量センサ（１０）が連接したことを特徴とする請求項４記載の洗浄剤投入制御器。
【請求項６】
上述の該弁Ａと、該弁Ｂと、該弁Ｃと、該弁Ｄと、該弁Ｅと、該弁Ｆと、該流体容器と回流路とで集成された集成弁を有し、該集成弁が電磁弁組１、電磁弁組２と電磁弁組３から構成され；
電磁弁組１は、電磁巻線１（１３）と、該電磁巻線１内のガイド内側に設置したアマチュア１（１２）と、アマチュア１の一端に設けたアマチュアシート１（１１）で構成され；
電磁弁組２は、電磁巻線２（１６）と、該電磁巻線２内のガイド内側に設置したアマチュア２（１５）と、アマチュア２の一端に設けたアマチュアシート２（１４）で構成され；
電磁弁組３は、電磁巻線３（２４）と、該電磁巻線３内のガイド内側に設置したアマチュア３（２３）と、アマチュア３の一端に設けたアマチュアシート３（２２）で構成され；
該弁Ａと該弁Ｂが該電磁弁組１に対応し、該弁Ａの出口と該弁Ｂの出口が該集成弁の空間１（１７）の内部に設けられ、同じ軸線で一定距離に対向し設置されており、該電磁弁組１の該アマチュアシート１が該弁Ａの出口と該弁Ｂの出口との該一定距離内にあり、しかも通常状態では該アマチュアシート１が該弁Ｂの出口を閉、該弁Ａの出口を開とし；
該弁Ｃと該弁Ｄが該電磁弁組２に対応し、該弁Ｃの出口と該弁Ｄの出口が該集成弁の空間２（１８）の内部に設けられ、同じ軸線で一定距離に対向し設置されており、該電磁弁組２の該アマチュアシート２が該弁Ｃの出口と該弁Ｄの出口との該一定距離内にあり、しかも通常状態では該アマチュアシート２が該弁Ｄの出口を閉、該弁Ｃの出口を開とし；
該弁Ｅと該弁Ｆが該電磁弁組３に対応し、該弁Ｅの出口と該弁Ｆの出口が該集成弁の空間３（１９）の内部に設けられ、同じ軸線で一定距離に対向し設置されており、該電磁弁組３の該アマチュアシート３が該弁Ｅの出口と該弁Ｆの出口との該一定距離内にあり、しかも通常状態では該アマチュアシート３が該弁Ｆの出口を閉、該弁Ｅの出口を開とし；
該空間３が該流体容器の入口（６０１）と貫通されることを特徴とする請求項４或いは請求項５記載の洗浄剤投入制御器。
【請求項７】
上述のベンチュリ負圧発生器（８）と主配管（１）が上述の集成弁に結合されていることを特徴とする請求項３或いは請求項６記載の洗浄剤投入制御器。
【発明の詳細な説明】
【技術分野】
【０００１】
本発明の液体製剤の投入装置は、電気洗濯機や電気食器洗い器などの電気洗浄機の液体洗浄剤投入制御装置に係るものである。
【背景技術】
【０００２】
従来から、電気洗濯機、電気食器洗い機などの電気洗浄設備に使われる洗浄剤（或いは柔軟剤、軟化剤、殺菌液など）の添加方法は、使用者が予め液体洗浄剤を指定の容器内部に入れ、洗浄設備が洗浄の過程に通過水、或いはその他の機械的方法で該洗浄剤を洗浄槽に投入する。この方法では、洗浄剤の投入量は使用者の操作の随意性があり、毎回の洗浄の度に洗浄剤を容器内部に添加する必要がある。洗浄剤液体化の増加に伴い、洗浄設備に多量の洗浄剤を一括に投入する傾向になり、そのような使用者は、洗浄中に一定量の洗浄剤を投入することも可能で、使用者の面倒を減少するだけではなく、洗浄物の種類と量は同一でないことから洗浄剤の投入量を自動調整が望ましい。従って、洗浄設備に洗浄剤自動投入装置の搭載は今後の発展方向になる。
【０００３】
先行技術を調査したところ、次の例があった。日本国特開昭６１−１７２５９４では、空気ポンプを通過した容器内に充満した液体洗剤に制御弁を開とし一定時間圧力を加えることにより、液体洗剤投入量を制御する技術が公開されている。また、日本国特開２０００−３３４１９７では、容器に充填された液体洗剤に常時加圧をしておき、液体洗剤を容器から圧出する技術が公開されている。これらの技術では、使用者は液体洗剤槽に一杯に入れ密封する必要がある。もし密封不良が出れば、ポンプの圧力は漏れる。また、ポンプの圧力が同じで、液体洗剤の粘度が違うなら、流動スピードは低下し、投入は不正確になる。さらに、ポンプの騒音が洗濯設備の騒音目標に影響する。
【０００４】
中国市場では、洗濯設備の底部に液体洗剤箱を備え、ギアポンプの圧力で液体洗剤を圧送あるいは吸引により洗濯設備頂部の水盆に送り、さらに洗濯槽に入れる技術が公開されている。この技術では、ギアポンプがいつも洗剤の中にあるので、洗剤終了時、ポンプ内に残留した洗剤が乾燥して固結し、洗濯設備が再度使用すると、過大な減衰が起こってギアポンプの歯車の回転を阻害することになる。そして、ギアポンプの動作音があり、洗濯設備の騒音管理に影響する。また、該方案は洗剤粘度のバラツキのため投入速度に差異が生じ、投入誤差の問題になる。
【０００５】
上記の公開された技術を総合すると、空気ポンプを採用し動力を提供する場合、洗濯槽の密封漏れと洗剤粘度変化のため投入量が不確実になる問題がある。また、ギアポンプを採用した場合、洗浄剤の固化のためポンプの詰まりの問題がある。
【０００６】
日本特開平１１−０１９３９１では、洗濯機内に設けたポンプと、該ポンプが洗濯機の洗濯槽内の水又は浴槽内の水を吸い洗濯槽内の管路に設置した負圧発生装置のあるノズルと、ノズル上の負圧発生装置と、ポンプから出水すると同時に、ノズルの負圧作用を利用し、洗剤を主水流に吸入し、混合後洗濯槽内に投入する。該技術では上記の技術の密封の問題とギアポンプの洗剤固結の問題は解決されるが、所定圧力を提供できるポンプを設置することが前提で、このコストは高い。
【０００７】
ＣＮ２０１２５８４０９Ｙの文献では、同様に水流の負圧作用の装置に関わる技術が公開されている。水道水の負圧を利用したもので、その負圧の大小は水道水の圧力と流量に関わる。洗濯設備にある電磁弁の給水で起こった負圧を利用したとき、その負圧の波動範囲が非常に大きく、洗剤の投入精度の制御は難しくなる。
【０００８】
該実案の実施例２では、負圧装置と洗剤箱の間に計量箱が設けられ、弁１−１と弁１−２を閉、弁１−３と弁１−４を開とし、計量箱内に真空が発生して、そして、弁１−３と弁１−４を閉、弁１−２を開とし、計量空間内に残留した真空を使用し液体洗剤を計量箱に流入させ、その後、弁１−１を閉、弁１−２、弁１−３、弁１−４を開とし、水流の負圧で計量箱内の洗剤を水箱まで吸引する。
【０００９】
該実案の実施例１は、水流の大小で起こった負圧のバラツキの原因でおこる洗剤投入の誤差の問題の解決方法を示している。しかし、該実施例中、洗剤が充填された計量箱は負圧源と計量空間との切断状態で、計量箱内に残存する負圧で洗剤を吸引するので、負圧不足時、計量空間は充満できないので、投入精度が高くない問題が出現する；実際の状況は、計量箱と負圧源とが通連時、計量箱は真空への到達が不可能で、さらに計量箱と真空源切断時、この時軽量箱に負圧が存在するが、しかし一定気圧がある（一定量の空気がある）ので、液体洗剤の充填に伴い、計量箱の余剰空間が小さくなり、存在するその一定量の空気が圧縮され、計量箱の余剰空間の負圧が消失し、この時洗剤の再充填はできなくなる；計量箱の密封不良の状況下では、更に問題になる。計量箱内の洗剤は負圧によって主水流中に吸い込まれ充填される、弁から配管までに洗剤の残留があり、これらの洗剤が濃縮や固結により洗剤の流動を阻害し、最終的には投入効果に影響を与える。
【先行技術文献】
【特許文献】
【００１０】
【特許文献１】特開昭６１−１７２５９４号公報
【特許文献２】特開２０００−３３４１９７号公報
【特許文献３】特開平１１−０１９３９１号公報
【特許文献４】中国実用新案公告第ＣＮ２０１２５８４０９Ｙ号公報
【発明の概要】
【発明が解決しようとする課題】
【００１１】
本発明は、従来の技術が有するこのような問題点に鑑みてなされたものであり、その目的とするところは、従来のような液体洗浄剤投入装置の問題、構造が複雑で、投入精度が正確でなく、洗浄剤が残留固結により設備の運行が阻害するのを解決できる洗浄剤投入制御器を提供しようとするものである。本発明の洗浄剤投入制御器は、構成が簡単で、体積が小さく、設置が簡単であり、設備内の洗浄剤が残りにくく、投入量の精度が高い。
【課題を解決するための手段】
【００１２】
上記問題を解決する為に、本発明の洗浄剤投入制御器は、主配管と、該主配管の一端の液流の入口と、該主配管の他端に洗浄槽の給水口接続の出口とを備え、弁Ａと、弁Ｂと、弁Ｃと、弁Ｄと、流体容器とベンチュリ負圧発生器とを設け、該弁Ａの入口は該主配管の側口と連接し、該弁Ｂの入口は洗浄剤Ａの液貯蔵箱と通連し、該弁Ａと該弁Ｂの出口は該弁Ｃの入口と通連し、該弁Ｄの入口は洗浄剤Ｂの液貯蔵箱と通連し、該弁Ｃと該弁Ｄの出口は該流体容器の入口と通連し、該流体容器出口が回流路を経て該ベンチュリ負圧発生器の負圧口と通連し、該ベンチュリ負圧発生器の出口が該主配管の入口と通連し、該ベンチュリ負圧発生器の入口が原水と連接する入口を設けたことを特徴とする。
【００１３】
本発明の最適化は、該回流路に流量センサを連接したことを特徴とする。
【００１４】
本発明の第１の最適化例は、上述の該弁Ａと、該弁Ｂと、該弁Ｃと、該弁Ｄと、該流体容器と回流路とで集成された集成弁を有し、該集成弁が電磁弁組１と電磁弁組２から構成され；電磁弁組１は、電磁巻線１と、該電磁巻線１内のガイド内側に設置したアマチュア１と、アマチュア１の一端に設けたアマチュアシート１で構成され；電磁弁組２は、電磁巻線２と、該電磁巻線２内のガイド内側に設置したアマチュア２と、アマチュア２の一端に設けたアマチュアシート２で構成され；
【００１５】
該弁Ａと該弁Ｂが該電磁弁組１に対応し、該弁Ａの出口と該弁Ｂの出口が該集成弁の空間１の内部に設けられ、同じ軸線で一定距離に対向し設置されており、該電磁弁組１の該アマチュアシート１が該弁Ａの出口と該弁Ｂの出口との該一定距離内にあり、しかも通常状態では該アマチュアシート１が該弁Ｂの出口を閉、該弁Ａの出口を開とし；
【００１６】
該弁Ｃと該弁Ｄが該電磁弁組２に対応し、該弁Ｃの出口と該弁Ｄの出口が該集成弁の空間２の内部に設けられ、同じ軸線で一定距離に対向し設置されており、該電磁弁組２の該アマチュアシート２が該弁Ｃの出口と該弁Ｄの出口との該一定距離内にあり、しかも通常状態では該アマチュアシート２が該弁Ｄの出口を閉、該弁Ｃの出口を開とし；該空間２が該流体容器の入口と貫通されることを特徴とする。
【００１７】
上述のベンチュリ負圧発生器と主配管が集成弁に結合されている。
【００１８】
弁Ａと弁Ｂの出口が弁Ｃの入口と通連され、該空間１と該空間２が貫通される。本発明の上述の洗浄剤は液体洗浄剤である。洗浄剤Ａは第１の洗浄剤、洗浄剤Ｂは他の洗浄剤を指す；本発明中の弁Ｂが洗浄剤Ａの投入に使われ、弁Ｄは洗浄剤Ｂの投入に使われる。本発明では、洗浄剤Ａと洗浄剤Ｂの同時投入ができ、洗浄剤Ａ或いは洗浄剤Ｂだけ投入することもできる。
【００１９】
本発明のベンチュリ負圧発生器は現行技術で、ベンチュリ管を応用し、ベンチュリ管の喉部分を負圧口として利用したもので、ベンチュリ効果を利用し、流体が入口から入って、出口から出る時、負圧口に負圧が発生し、外界物を吸引する力を生ずる。
【００２０】
本発明の作用を説明する。給水の過程に、まず弁Ａと弁Ｃを開、弁Ｂと弁Ｄを閉にすると、給水による少量の分流水が弁Ａを通過し流体容器に入り、回流路と負圧発生器の負圧口で水流に混入し、給水の水と合流し洗浄槽に入る。この分流した環状路的水流は流体容器と関係水路に流れ、残留固結した洗浄剤を洗い落とす。水で洗い流した後、弁Ａを閉、弁Ｂと（或いは）弁Ｄを開とし、洗浄剤Ａと（或いは）洗浄剤Ｂの液貯蔵箱にある洗浄剤が弁Ｂ、弁Ｃと（或いは）弁Ｄを経て流体容器に入って、洗い落とした水と混ざり、続いて給水の水と混合し洗浄槽に入って、洗浄剤Ａと（或いは）洗浄剤Ｂの投入を実現させる。
【００２１】
本発明は弁とベンチュリ負圧発生器を組み合わせた構成で、構造が簡単で；負圧発生器の入口は水源と連接し、負圧発生器の出口は主配管と連接し、本発明は洗浄設備の給水管と直接に設置でき、組立が簡単で、占有空間が小さい；本発明の主配管の少量の分流水が弁Ａ、弁Ｂ、流体容器、回流路を経て、給水の水と混ぜて洗浄槽に入るので、流体容器と関係流路に残る洗浄剤を洗い落とすことができるので、洗浄剤が残留し固結することを避ける。
流量センサ付けの本発明は、洗浄剤の投入量を精確に計量することができる。集成弁の本発明は、構成がコンパクトで、体積が小さく、コストが安く、設置が容易で、使用が更に便利である。
【００２２】
上記の洗浄剤投入制御器は２連（２組）の構成で、弁Ａと弁Ｂが一組、弁Ｃと弁Ｄは一組である。本発明は同じ原理に基づいており、３連の構成にすることもでき、即ち、上記の２連に基づいて弁Ｅと弁Ｆを増加すると、
【００２３】
本発明採用の技術方案は、主配管と、該主配管の一端の液流の入口と、該主配管の他端に洗浄槽の給水口接続の出口とを備え、弁Ａと、弁Ｂと、弁Ｃと、弁Ｄと、弁Ｅと、弁Ｆと、流体容器とベンチュリ負圧発生器とを設け、該弁Ａの入口が該主配管の側口と連接し、該弁Ｂの入口が洗浄剤Ａの液貯蔵箱と通連し、該弁Ａと該弁Ｂの出口が該弁Ｃの入口と通連し、該弁Ｄの入口が洗浄剤Ｂの液貯蔵箱と通連し、該弁Ｃと該弁Ｄの出口が該弁Ｅの入口と通連し、該弁Ｆの入口が洗浄剤Ｃの液貯蔵箱と通連し、該弁Ｅと該弁Ｆの出口が該流体容器の入口と通連し、該流体容器の出口が回流路を経て該ベンチュリ負圧発生器の負圧口と通連し、該ベンチュリ負圧発生器の出口が該主配管の入口と通連し、該ベンチュリ負圧発生器の入口が原水と連接する入口を設けたことを特徴とする。
【００２４】
本発明の最適化では、該回流路には流量センサが連接する。
【００２５】
本発明は、上述の該弁Ａと、該弁Ｂと、該弁Ｃと、該弁Ｄと、該弁Ｅと、該弁Ｆと、該流体容器と回流路とで集成された集成弁を有し、該集成弁が電磁弁組１、電磁弁組２と電磁弁組３から構成され；電磁弁組１は、電磁巻線１と、該電磁巻線１内のガイド内側に設置したアマチュア１と、アマチュア１の一端に設けたアマチュアシート１で構成され；電磁弁組２は、電磁巻線２と、該電磁巻線２内のガイド内側に設置したアマチュア２と、アマチュア２の一端に設けたアマチュアシート２で構成され；電磁弁組３は、電磁巻線３と、該電磁巻線３内のガイド内側に設置したアマチュア３と、アマチュア３の一端に設けたアマチュアシート３で構成され；
【００２６】
該弁Ａと該弁Ｂが該電磁弁組１に対応し、該弁Ａの出口と該弁Ｂの出口が該集成弁の空間１の内部に設けられ、同じ軸線で一定距離に対向し設置されており、該電磁弁組１の該アマチュアシート１が該弁Ａの出口と該弁Ｂの出口との該一定距離内にあり、しかも通常状態では該アマチュアシート１が該弁Ｂの出口を閉、該弁Ａの出口を開とし；通常状態で電磁巻線１は通電されない；
【００２７】
該弁Ｃと該弁Ｄが該電磁弁組２に対応し、該弁Ｃの出口と該弁Ｄの出口が該集成弁の空間２の内部に設けられ、同じ軸線で一定距離に対向し設置されており、該電磁弁組２の該アマチュアシート２が該弁Ｃの出口と該弁Ｄの出口との該一定距離内にあり、しかも通常状態では該アマチュアシート２が該弁Ｄの出口を閉、該弁Ｃの出口を開とし；通常状態で電磁巻線２は通電されない；
【００２８】
該弁Ｅと該弁Ｆが該電磁弁組３に対応し、該弁Ｅの出口と該弁Ｆの出口が該集成弁の空間３の内部に設けられ、同じ軸線で一定距離に対向し設置されており、該電磁弁組３の該アマチュアシート３が該弁Ｅの出口と該弁Ｆの出口との該一定距離内にあり、しかも通常状態では該アマチュアシート３が該弁Ｆの出口を閉、該弁Ｅの出口を開とし；通常状態で電磁巻線３は通電されない；
該空間３が該流体容器の入口と貫通されることを特徴とする。
【００２９】
上述のベンチュリ負圧発生器と主配管が上述の集成弁に結合されている。
【００３０】
弁Ａと弁Ｂの出口が弁Ｃの入口と連通し、弁Ｃと弁Ｄの出口が弁Ｅの入口と連通し、該空間１と該空間２と貫通され、該空間２と該空間３が貫通される。
【００３１】
上記流量センサの作用は、洗浄剤投入量を精確に計量することができる。
【００３２】
本発明の３連構成は、２連構成と比べ、使用範囲が更に広くなる。
【００３３】
同じ原理で、本発明は３連以上にすることもできる。例えば、４連の場合、３連に基づいて弁Ｇと弁Ｈを増加する。この４連の構成では、弁Ｅと弁Ｆの出口が弁Ｇの入口と通連し、弁Ｇと弁Ｈの出口が流体容器の入口と通連し、弁Ｈの入口は洗浄剤Ｄの液貯蔵箱と通連される。
【図面の簡単な説明】
【００３４】
【図１】本発明の２連構成の概略図である。
【図２】流量センサ付きの本発明の２連構成の概略図である。
【図３】集成弁搭載の本発明の２連構成の外観図である。
【図４】図３のＡ−Ａ断面図である。
【図５】図３のＢ−Ｂ断面図である。
【図６】図３のＣ−Ｃ断面図である。
【図７】本発明の３連構成の概略図である。
【図８】集成弁搭載の本発明の３連構成の概略図である。
【発明を実施するための形態】
【００３５】
実施例一
【００３６】
主配管（１）と、該主配管の一端の液流の入口（１０１）と、該主配管の他端に洗浄槽の給水口接続の出口（１０２）と備え、弁Ａ（２）と、弁Ｂ（３）と、弁Ｃ（４）と、弁Ｄ（５）と、流体容器（６）とベンチュリ負圧発生器（８）とを設け、弁Ａの入口は該主配管の側口と連接し、該弁Ｂの入口は洗浄剤Ａの液貯蔵箱と通連し、該弁Ａと該弁Ｂの出口は該弁Ｃの入口と通連し、該弁Ｄの入口は洗浄剤Ｂの液貯蔵箱と通連し、該弁Ｃと該弁Ｄの出口は該流体容器の入口（６０１）と通連し、該流体容器出口（６０２）が回流路（７）を経て該ベンチュリ負圧発生器の負圧口（８０４）と通連し、該ベンチュリ負圧発生器の出口（８０２）が該主配管の入口と通連し、該ベンチュリ負圧発生器の入口（８０１）が原水と連接する入口を設け；該回流路には流量センサ（１０）が連接される。
【００３７】
実施例二
【００３８】
図３、４、５、６のように、集成弁は、主配管（１）及び、弁Ａ（２）と、弁Ｂ（３）と、弁Ｃ（４）と、弁Ｄ（５）と、流体容器（６）と、回流路（７）とベンチュリ負圧発生器（８）とで集成され、該主配管の一端の液流の入口（１０１）と、該主配管の他端に洗浄槽の給水口で連接される出口とを備え、該弁Ａの入口（２０１）は主配管（１）の側口（１０３）を貫通し主配管と連接されている。弁Ｂ（３）の入口は洗浄剤Ａの液貯蔵箱と通連し、該弁Ａと該弁Ｂの出口は空間１（１７）に貫通して該弁Ｃ（４）の入口と通連し、該弁Ｄ（５）の入口は洗浄剤Ｂの液貯蔵箱と通連し、該弁Ｃと該弁Ｄの出口は空間２（１８）に貫通し、空間２は流体容器（６）の入口（６０１）と貫通し、流体容器の出口（６０２）は回流路（７）を経てベンチュリ負圧発生器の負圧口と通連し、回流路は流量センサ（１０）が連接し、ベンチュリ負圧発生器の出口（８０２）は主配管の入口（１０１）と連通し、ベンチュリ負圧発生器の入口（８０１）は原水と連接する入口であることを特徴とし；
【００３９】
該集成弁は、電磁弁組１と電磁弁組２から構成され、電磁弁組１は、電磁巻線１（１３）と、該電磁巻線１内のガイド内側に設置したアマチュア１（１２）と、アマチュア１の一端に設けたアマチュアシート１（１１）で構成され；電磁弁組２は、電磁巻線２（１６）と、該電磁巻線２内のガイド内側に設置したアマチュア２（１５）と、アマチュア２の一端に設けたアマチュアシート２（１４）で構成され、
【００４０】
該弁Ａと該弁Ｂが該電磁弁組１に対応し、該弁Ａの出口と該弁Ｂの出口が該集成弁の空間１（１７）の内部に設けられ、同じ軸線で一定距離に対向し設置されており、該電磁弁組１の該アマチュアシート１が該弁Ａの出口と該弁Ｂの出口との該一定距離内にあり、しかも通常状態では該アマチュアシート１が該弁Ｂの出口を閉、該弁Ａの出口を開とし、
【００４１】
該弁Ｃと該弁Ｄが該電磁弁組２に対応し、該弁Ｃの出口と該弁Ｄの出口が該集成弁の空間２（１８）の内部に設けられ、同じ軸線で一定距離に対向し設置されており、該電磁弁組２の該アマチュアシート２が該弁Ｃの出口と該弁Ｄの出口との該一定距離内にあり、しかも通常状態では該アマチュアシート２が該弁Ｄの出口を閉、該弁Ｃの出口を開とする。
【００４２】
該実施例中、該弁Ａ（２）と該弁Ｂ（３）が連動し、該弁Ｃ（４）と該弁Ｄ（５）が連動する。該電磁巻線１（１３）が通電されない時、該アマチュア１（１２）がその後ろのスプリングの作用で伸ばされ、該アマチュアシート１（１１）が該弁Ｂ（３）の出口を閉とし、該弁Ａ（２）の出口を開とする；同様に、該電磁巻線２（１６）が通電されない時、該アマチュア２（１５）がその後ろのスプリングの作用で伸ばされ、該アマチュアシート２（１４）が該弁Ｄ（５）の出口を閉とし、該弁Ｃ（４）の出口を開とする；主配管（１）の分流水の一部分は、該主配管の側口（１０３）と該弁Ａの入口（２０１）を通過し該空間１（１７）と該空間２（１８）に入り、該流体容器の入口（６０１）を通過し該流体容器（６）に入って、該流体容器の水が該出口（６０２）を通過し該回流路に入り、該流量センサ（１０）と該ベンチュリ負圧発生器の負圧口（８０４）を通過し該主配管（１）に入り、該ベンチュリ負圧発生器の入口（８０１）で源水と混ざり、該流体容器（６）及び関係流路を洗い落とすので、洗浄剤の固結を防ぎ本発明に使用できる。
【００４３】
そして、該電磁巻線１が通電されると、該アマチュア１が吸引され、該アマチュアシート１（１１）が該弁Ａ（２）の出口を閉とし、該弁Ｂ（３）の出口を開とし、洗浄剤Ａが投入される。同様に、該電磁巻線２（１６）が通電されると、洗浄剤Ｂが投入される。
【００４４】
実施例三
【００４５】
本実施例の洗浄剤投入制御器は、図７、図８のように、実施例２に、弁Ｅ（２０）と、弁Ｆ（２１）と、アマチュアシート３（２２）と、アマチュア３（２３）と、電磁巻線３（２４）とで構成される電磁弁組３を追加したものである；本実施例では、該弁Ｃと該弁Ｄの出口が該空間２（１８）を貫通し該弁Ｅ（２０）の入口と通連し、該弁Ｆ（２１）入口が洗浄剤Ｃの液貯蔵箱と通連し、該弁Ｅと該弁Ｆの出口が空間３（１９）に貫通し、該空間３（１９）が該流体容器（６）の入口（６０１）と貫通され；該空間１と、該空間２と、該空間３とは貫通される。
【００４６】
該弁Ｅ（２０）と該弁Ｆ（２１）が電磁弁組３に対応し、該弁Ｅの出口と該弁Ｆの出口が該集成弁の空間３（１９）の内部に設けられ、同じ軸線で一定距離に対向し設置されており、該電磁弁組３の該アマチュアシート３が該弁Ｅの出口と該弁Ｆの出口との該一定距離内にあり、通常状態では該アマチュアシート３が該弁Ｆの出口を閉とし、該弁Ｅの出口を開とする。
【００４７】
その他の構成は実施例２と同様である。
【符号の説明】
【００４８】
１  主配管、１０１  入口、１０２  出口、１０３  主配管の側口、２  弁Ａ、２０１  弁Ａの入口、３  弁Ｂ、４  弁Ｃ、５  弁Ｄ、６  流体容器、６０１  入口、６０２  出口、７  回流路、８  ベンチュリ負圧発生器、８０１  入口、８０２  出口、８０３  喉部分（収縮部−喉部−拡大部の組合せ）、８０４  負圧口、１０  流量センサ、１１  アマチュアシート１、１２  アマチュア１、１３  電磁巻線１、１４  アマチュアシート２、１５  アマチュア２、１６  電磁巻線２、１７  空間１、１８  空間２、１９  空間３、２０  弁Ｅ、２１  弁Ｆ、２２  アマチュアシート３、２３  アマチュア３、２４  電磁巻線３
【図１】
0006326495.tif 000002
【図２】
0006326495.tif 000003
【図３】
0006326495.tif 000004
【図４】
0006326495.tif 000005
【図５】
0006326495.tif 000006
【図６】
0006326495.tif 000007
【図７】
0006326495.tif 000008
【図８】
0006326495.tif 000009